(57)【要約】【課題】画像の一部を拡大表示した際に焦点検出位置を移動できる範囲を把握できるようにすることを目的とする。【解決手段】表示制御装置は、画像のうち所定範囲内において、ユーザ操作に応じて焦点検出位置を移動する移動手段と、前記画像の一部を拡大して表示するように制御する表示制御手段と、前記画像が拡大して表示されていることを含む特定の状態において、拡大された前記画像と共に、前記焦点検出位置を示す表示アイテムおよび前記所定範囲を示すインジケータを表示するように制御する制御手段と、を有することを特徴とする。【選択図】図５
2019165299.tif 000002
【特許請求の範囲】
【請求項１】
画像のうち所定範囲内において、ユーザ操作に応じて焦点検出位置を移動する移動手段と、
前記画像の一部を拡大して表示するように制御する表示制御手段と、
前記画像が拡大して表示されていることを含む特定の状態において、拡大された前記画像と共に、前記焦点検出位置を示す表示アイテムおよび前記所定範囲を示すインジケータを表示するように制御する制御手段と、
を有することを特徴とする表示制御装置。
【請求項２】
前記制御手段は、
前記画像の一部が拡大して表示されていない場合には、前記インジケータを表示しないように制御することを特徴とする請求項１に記載の表示制御装置。
【請求項３】
前記制御手段は、
前記画像の一部が拡大して表示されていない場合には、グリッドライン、アスペクトマーカーおよびセーフティーゾーンの少なくとも何れか１つを表示するように制御することを特徴とする請求項１または２に記載の表示制御装置。
【請求項４】
前記制御手段は、
前記画像の一部が拡大して表示されている場合には、前記グリッドライン、前記アスペクトマーカーおよび前記セーフティーゾーンを表示しないように制御することを特徴とする請求項３に記載の表示制御装置。
【請求項５】
前記制御手段は、
前記画像の一部が拡大して表示されていない場合には、表示手段の画面内の周辺部に撮影に関する情報を表示するように制御することを特徴とする請求項１ないし４の何れか１項に記載の表示制御装置。
【請求項６】
前記制御手段は、
前記画像の一部が拡大して表示されている場合には、前記表示手段の画面内の周辺部に前記撮影に関する情報を表示しないように制御することを特徴とする請求項５に記載の表示制御装置。
【請求項７】
前記特定の状態は、前記画像の一部が拡大して表示された拡大範囲内に前記所定範囲の境界が含まれている場合であって、
前記制御手段は、
前記拡大範囲内に前記所定範囲の境界が含まれていない場合には、前記インジケータを表示しないように制御することを特徴とする請求項１ないし６の何れか１項に記載の表示制御装置。
【請求項８】
前記特定の状態は、ユーザによる前記焦点検出位置を移動する指示に応じて前記焦点検出位置が移動している場合であって、
前記制御手段は、
前記ユーザによる前記焦点検出位置を移動する指示の以前では、前記インジケータを表示しないように制御することを特徴とする請求項１ないし７の何れか１項に記載の表示制御装置。
【請求項９】
前記特定の状態は、前記移動手段による前記焦点検出位置の移動が終了してから所定時間以内の場合であって、
前記制御手段は、
前記移動手段による前記焦点検出位置の移動が終了してから所定時間が経過した場合には、前記インジケータを表示しないように制御することを特徴とする請求項１ないし８の何れか１項に記載の表示制御装置。
【請求項１０】
前記特定の状態は、前記焦点検出位置が移動可能端に達している場合であって、
前記制御手段は、
前記焦点検出位置が移動可能端に達していない場合には、前記インジケータを表示しないように制御することを特徴とする請求項１ないし９の何れか１項に記載の表示制御装置。
【請求項１１】
前記特定の状態は、前記インジケータを表示する設定になっている場合であって、
前記制御手段は、
前記インジケータを表示する設定になっていない場合には、前記インジケータを表示しないように制御することを特徴とする請求項１ないし１０の何れか１項に記載の表示制御装置。
【請求項１２】
前記画像は、撮像手段により撮像されるライブビュー画像であることを特徴とする請求項１ないし１１の何れか１項に記載の表示制御装置。
【請求項１３】
前記表示アイテムは、前記焦点検出位置の合焦度合いを示すアイテムであることを特徴とする請求項１ないし１２の何れか１項に記載の表示制御装置。
【請求項１４】
前記表示アイテムは、前記焦点検出位置のデフォーカス量に基づいた合焦度合いを示すアイテムであることを特徴とする請求項１ないし１３の何れか１項に記載の表示制御装置。
【請求項１５】
前記表示アイテムは、ＡＦする位置を示すＡＦ枠であることを特徴とする請求項１ないし１２の何れか１項に記載の表示制御装置。
【請求項１６】
画像のうち所定範囲内において、ユーザ操作に応じて焦点検出位置を移動する移動ステップと、
前記画像の一部を拡大して表示するように制御する表示制御ステップと、
前記画像が拡大して表示されていることを含む特定の状態において、拡大された前記画像と共に、前記焦点検出位置を示す表示アイテムおよび前記所定範囲を示すインジケータを表示するように制御する制御ステップと、
を有することを特徴とする表示制御装置の制御方法。
【請求項１７】
コンピュータを、請求項１ないし１５の何れか１項に記載された表示制御装置の各手段として機能させるためのプログラム。
【請求項１８】
コンピュータを、請求項１ないし１５の何れか１項に記載された表示制御装置の各手段として機能させるためのプログラムを格納したコンピュータが読み取り可能な記録媒体。
【発明の詳細な説明】
【技術分野】
【０００１】
本発明は、表示制御装置、その制御方法、プログラムおよび記録媒体に関する。
【背景技術】
【０００２】
近年、撮像装置ではＡＦ（オートフォーカス）やＭＦ（マニュアルフォーカス）において良好にフォーカス調整できる機能を提案されている。
特許文献１には、ライブビュー撮影時に撮像面位相差ＡＦを行うことができる領域を撮像画像に重畳して表示する撮像装置が開示されている。
特許文献２には、ＭＦにおけるフォーカス調整のアシスト機能として、ユーザが任意の位置に表示アイテムを移動させ、当該位置のデフォーカス量に基づいた合焦度合いを、表示アイテムの表示形態を変更することで表示する撮像装置が開示されている。
【先行技術文献】
【特許文献】
【０００３】
【特許文献１】特開２０１６−０９５４７６号公報
【特許文献２】特開２０１６−１９７１８０号公報
【発明の概要】
【発明が解決しようとする課題】
【０００４】
しかしながら、特許文献２の撮像装置において、撮像画像の周辺部に対応する撮像部の画素には位相差検出用画素が配置されていない等の理由からデフォーカス量を算出できない位置がある。このような位置に表示アイテムを移動できないように設定されている場合、特に画像の一部を拡大表示させている状態では、ユーザは表示アイテムを移動できない理由が理解できないという問題がある。
【０００５】
本発明は、上述したような問題点に鑑みてなされたものであり、画像の一部を拡大表示した際に焦点検出位置を移動できる範囲を把握できるようにすることを目的とする。
【課題を解決するための手段】
【０００６】
本発明の表示制御装置は、画像のうち所定範囲内において、ユーザ操作に応じて焦点検出位置を移動する移動手段と、前記画像の一部を拡大して表示するように制御する表示制御手段と、前記画像が拡大して表示されていることを含む特定の状態において、拡大された前記画像と共に、前記焦点検出位置を示す表示アイテムおよび前記所定範囲を示すインジケータを表示するように制御する制御手段と、を有することを特徴とする。
【発明の効果】
【０００７】
本発明によれば、画像の一部を拡大表示した際に焦点検出位置を移動できる範囲を把握することができる。
【図面の簡単な説明】
【０００８】
【図１】デジタルカメラの構成の一例を示すブロック図である。
【図２】フォーカスガイド機能を説明するための図である。
【図３】画像拡大表示機能を説明するための図である。
【図４】フォーカスガイド機能および画像拡大表示機能を説明するための図である。
【図５】デジタルカメラの表示制御の処理の一例を示すフローチャートである。
【図６】フォーカスガイド移動可能範囲を示す表示の一例を示す図である。
【発明を実施するための形態】
【０００９】
以下、図面を参照して本発明の好適な実施形態について説明する。
（第１の実施形態）
本実施形態では、表示制御装置がデジタルカメラ１００（以下、カメラ１００という）である場合について説明する。
【００１０】
＜ハードウェア構成＞
図１は、カメラ１００の構成の一例を示すブロック図である。
撮影レンズ１０１は、ズームレンズ、フォーカスレンズを含むレンズ群である。
シャッター１０２は、絞り機能を備える。
撮像部１０３は、被写体像を電気信号に変換するＣＭＯＳ素子等で構成される撮像素子である。撮像部１０３は、撮像手段の一例である。撮像部１０３は、一部の画素にデフォーカス量を検出可能な画素、すなわち位相差検出用画素を有しており、撮像面位相差ＡＦが可能である。具体的には、撮像部１０３は、撮影光学系の射出瞳の全域を通る光束を各々が受光して被写体像を生成する複数の撮影用画素を有する。また、撮像部１０３は、各々が撮影光学系の異なる射出瞳の領域を通る光束を受光する複数の位相差検出用画素を有する。複数の位相差検出用画素は全体として撮影光学系の射出瞳の全域を通る光束を受光することができる。
【００１１】
Ａ／Ｄ変換器１０４は、撮像部１０３から出力されるアナログ信号をデジタル信号に変換する。
バリア１０５は、撮影レンズ１０１、シャッター１０２、撮像部１０３を含む撮像系を覆うことにより撮像系の汚れや破損を防止する。
画像処理部１０６は、Ａ／Ｄ変換器１０４からの画像データまたはメモリ制御部１０７からの画像データに対し所定の画素補間、縮小といったリサイズ処理や色変換処理を行う。画像処理部１０６は、撮像された画像データを用いて所定の演算処理を行い、演算結果に基づいてＴＴＬ方式のＡＷＢ（オートホワイトバランス）処理を行う。また、画像処理部１０６は撮像された画像データを用いて所定の演算処理を行い、システム制御部５０は演算結果に基づいて露光制御、測距制御を行う。具体的には、システム制御部５０は演算結果に基づいて、撮像面位相差ＡＦやコントラストＡＦ等のＡＦ処理、ＡＥ（自動露出）処理、ＥＦ（フラッシュプリ発光）処理を行う。撮像面位相差ＡＦは、システム制御部５０の指示に基づいて位相差検出部１１５が焦点検出することで行う。
【００１２】
Ａ／Ｄ変換器１０４からの画像データは、画像処理部１０６およびメモリ制御部１０７を介して、または、メモリ制御部１０７を介してメモリ１０８に直接書き込まれる。
メモリ１０８は、撮像部１０３によって得られＡ／Ｄ変換器１０４によりデジタルデータに変換された画像データや表示部１０９に表示するための画像データを格納する。メモリ１０８は、所定枚数の静止画像や所定時間の動画および音声を格納するのに十分な記憶容量を備える。また、メモリ１０８は画像表示用のメモリ（ビデオメモリ）を兼ねている。
【００１３】
Ｄ／Ａ変換器１１０は、メモリ１０８に格納されている画像表示用の画像データをアナログ信号に変換して表示部１０９に供給する。したがって、メモリ１０８に書き込まれた表示用の画像データは、Ｄ／Ａ変換器１１０を介して表示部１０９により表示される。
表示部１０９は、ＬＣＤ等の表示器上にＤ／Ａ変換器１１０からのアナログ信号に応じた表示を行う。Ａ／Ｄ変換器１０４によって一度Ａ／Ｄ変換されメモリ１０８に蓄積されたデジタル信号をＤ／Ａ変換器１１０においてアナログ変換し、表示部１０９に逐次転送することでライブビュー画像を表示することができる。
【００１４】
不揮発性メモリ１１１は、電気的に消去・記録可能な記録媒体としてのメモリであり、例えばＥＥＰＲＯＭ等を用いることができる。不揮発性メモリ１１１には、システム制御部５０の動作用の定数、プログラム、閾値等が格納される。不揮発性メモリ１１１に格納されるプログラムは、システム制御部５０が実行するためのプログラムである。また、不揮発性メモリ１１１にはシステム制御部５０が動作するためのメニューの設定が格納され、メニューの設定はユーザ操作によって更新が可能である。
【００１５】
システム制御部５０は、カメラ１００全体を制御する。システム制御部５０は不揮発性メモリ１１１に格納されたプログラムを実行することで、後述するフローチャートの処理を実現する。例えば、システム制御部５０は、後述するフォーカスガイドが移動できる範囲を示すフォーカスガイド移動可能範囲を表示する。システム制御部５０は、制御手段の一例に対応する。
【００１６】
システムメモリ１１２は、例えばＲＡＭを用いることができる。システムメモリ１１２は、システム制御部５０の動作用の定数、変数、不揮発性メモリ１１１から読み出したプログラム等が展開される。また、システム制御部５０は、メモリ１０８、Ｄ／Ａ変換器１１０、表示部１０９等を制御することにより表示制御を行う。システム制御部５０は、表示制御手段の一例に対応する。
システムタイマー１１３は、各種制御に用いる時間や内蔵された時計の時間を計測する計時部である。例えば、システム制御部５０は、システムタイマー１１３を用いて所定時間が経過したか否かを判定する。
【００１７】
通信部１１４は、無線または有線ケーブルによって接続し、映像信号や音声信号等の送受信を行う。通信部１１４は無線ＬＡＮ（Ｌｏｃａｌ  Ａｒｅａ  Ｎｅｔｗｏｒｋ）やインターネットとも接続可能である。通信部１１４は撮像部１０３で撮像された画像（ライブビュー画像を含む）や、記録媒体１２７に記録された画像を送信可能であり、また、外部機器から画像データやその他の各種情報を受信可能である。
位相差検出部１１５は、撮像部１０３の一部内の全面、または、撮像部１０３の一部内に離散的に配置された複数の位相差検出用画素の出力信号により位相差検出をする。
【００１８】
モード切替スイッチ１１６、シャッターボタン１１７（第１シャッタースイッチ１１８、第２シャッタースイッチ１１９）、操作部１２０は、システム制御部５０に各種の動作指示を入力するための操作手段である。
モード切替スイッチ１１６は、システム制御部５０の動作モードを静止画撮影モード、動画撮影モード、再生モード等の何れかに切替えることができる。静止画撮影モードに含まれるモードには、オート撮影モード、オートシーン判別モード、マニュアルモード、撮影シーン別の撮影設定となる各種シーンモード、プログラムＡＥモード、カスタムモード等がある。例えば、静止画撮影モードに含まれる上述したモードの何れかにモード切替スイッチ１１６を介して直接、切替えることができる。あるいは、モード切替スイッチ１１６で静止画撮影モードに一旦、切替えた後に、静止画撮影モードに含まれる上述したモードの何れかに他の操作手段を用いて切替えるようにしてもよい。同様に、動画撮影モードにも複数のモードが含まれていてもよい。
【００１９】
シャッターボタン１１７は、ユーザからシステム制御部５０に撮影準備あるいは撮影を指示するボタンである。シャッターボタン１１７の操作途中、いわゆる半押し（撮影準備指示）で、第１シャッタースイッチ１１８がオンとなり、第１シャッタースイッチ信号ＳＷ１を発生させる。システム制御部５０は、第１シャッタースイッチ信号ＳＷ１により、ＡＦ処理、ＡＥ処理、ＡＷＢ処理、ＥＦ処理等の動作を開始する。シャッターボタン１１７の操作完了、いわゆる全押し（撮影指示）で、第２シャッタースイッチ１１９がオンとなり、第２シャッタースイッチ信号ＳＷ２を発生させる。システム制御部５０は、第２シャッタースイッチ信号ＳＷ２により、撮像部１０３からの信号読み出しから記録媒体１２７に画像データを書き込むまでの一連の撮影処理の動作を開始する。
【００２０】
操作部１２０の各操作部材は、表示部１０９に表示される種々の機能アイコンを選択操作すること等により、場面ごとに適宜機能が割り当てられ、各種機能ボタンとして作用する。機能ボタンとしては、例えば、メニューボタン、戻るボタン、機能呼び出しボタン、設定切替ボタン、絞込みボタン、属性変更ボタン等がある。例えば、メニューボタンが押されると各種の設定可能なメニュー画面が表示部１０９に表示される。ユーザは表示部１０９に表示されたメニュー画面と、上下左右ボタンやＳＥＴボタンとを用いて直感的に各種設定を行うことができる。また、操作部１２０には、後述する拡大キーが含まれる。
【００２１】
タッチパネル１２１は、操作部１２０に含まれる操作部材である。タッチパネル１２１における入力座標と、表示部１０９上の表示座標とを対応付けることで、あたかもユーザが表示部１０９上に表示された画面を直接的に操作可能であるかのようなＧＵＩを構成することができる。システム制御部５０はタッチパネル１２１から入力座標の情報を受け取り、カーソル等を上下左右方向に移動させる。
方向キー１２２は、操作部１２０に含まれる操作部材である。システム制御部５０は方向キー１２２からの入力信号を受け取り、表示部１０９に表示された画像の拡大範囲を移動させたり、フォーカスガイドを移動させたりする。
【００２２】
電源スイッチ１２３は、電源オンと電源オフとを切替えるための押しボタンである。また、電源スイッチ１２３は位置によって電源オンと電源オフとを切替えるレバーであってもよい。
電源制御部１２４は、電池検出回路、ＤＣ−ＤＣコンバータ、通電するブロックを切替えるスイッチ回路等により構成され、電池の装着の有無、電池の種類、電池残量の検出を行う。また、電源制御部１２４は、その検出結果およびシステム制御部５０の指示に基づいてＤＣ−ＤＣコンバータを制御し、必要な電圧を必要な期間、記録媒体１２７を含む各部へ供給する。
電源部１２５は、アルカリ電池やリチウム電池等の一次電池やＮｉＣｄ電池やＮｉＭＨ電池、Ｌｉ電池等の二次電池、ＡＣアダプター等からなる。
【００２３】
記録媒体Ｉ／Ｆ部１２６は、記録媒体１２７との間のインターフェースである。
記録媒体１２７は、記録媒体Ｉ／Ｆ部１２６による制御に応じて画像データの記録や記録された画像データの読み出しを実行する。記録媒体１２７は、半導体メモリや磁気ディスク等から構成される着脱可能なメモリカード等である。なお、記録媒体１２７はカメラ１００に内蔵されていてもよい。
【００２４】
本実施形態のカメラ１００は、フォーカスのアシスト機能として、フォーカスガイド機能と画像拡大表示機能を備える。
フォーカスガイド機能とは、ユーザが指定した領域のフォーカス状況を指標で示すモードである。ユーザは指標を視認することで、合焦状態（焦点検出位置の被写体に合焦している状態）であるか、前ピン状態もしくは後ピン状態であるかを確認することができる。
画像拡大表示機能とは、ユーザが指定した領域の撮像画像(ライブビュー画像)を任意の倍率で表示する機能である。ユーザは拡大画像を視認することで、より詳細に撮像画像を確認することができる。
【００２５】
＜フォーカスガイド機能を実行したときの表示例＞
まず、フォーカスガイド機能を有効にし、フォーカスガイド機能を実行したときの表示例を図２を参照して説明する。
図２（ａ）は、表示部１０９に表示される表示画面２００の一例を示す図である。図２（ａ）に示す表示画面２００には、撮像画像の全体が表示されている。
表示画面２００には、フォーカスガイド２０１が、撮像画像としての被写体２０２に重畳して表示されている。
フォーカスガイド２０１は、ＯＳＤ（On Screen Display）データであり、表示アイテムの一例である。フォーカスガイド２０１は、ガイド枠２０１ａと指標２０１ｂとを含んで構成される。ガイド枠２０１ａは、焦点検出位置を示す表示アイテムである。ガイド枠２０１ａは、焦点検出位置におけるフォーカス状況としての合焦度合いに応じて表示形態が変化する。指標２０１ｂは、合焦度合いを示す表示アイテムである。指標２０１ｂは、焦点検出位置における合焦度合いに応じて表示形態が変化する。
【００２６】
ここで、フォーカスガイド２０１の表示形態の変化について図２（ｂ）〜図２（ｄ）を参照して説明する。
図２（ｂ）に示すフォーカスガイド２０４は、合焦状態（焦点検出位置の被写体に合焦している状態）を示している。ガイド枠２０４ａは切れ目がない環状の枠形状であって、枠自体が例えば緑色（第１の色）である。ガイド枠２０４ａの形状および色は合焦状態であることを示している。
指標２０４ｂは、ガイド枠２０４ａの上側に位置し、上下対称に互いの頂角を一致させた２つの三角形で示されている。指標２０４ｂは、ガイド枠２０４ａと同一の色である。指標２０４ｂの形状および色は合焦状態であることを示している。
【００２７】
図２（ｃ）に示すフォーカスガイド２０５は、後ピン状態（焦点検出位置の被写体よりも後に合焦している状態）を示している。ガイド枠２０５ａは環状の一部に切れ目がある枠形状であって、枠自体が例えば白色（第２の色）である。ガイド枠２０５ａの形状および色は合焦状態ではないことを示している。
指標２０５ｂは、ガイド枠２０５ａの上側に位置する３つの三角形が示されている。中央の三角形は、合焦状態へ向かうための左右の三角形の目標地点を示しており、頂角が上側に位置する。左右の三角形は、左右の三角形の間の距離（あるいは角度）によって合焦度合いを示し、それぞれ頂角が下側に位置する。左右の三角形の間の距離（あるいは角度）は、合焦状態からのズレ量が大きい場合に比べて小さい場合の方が距離が小さい（狭くなる、角度は小さくなる）。被写体とカメラ１００の距離が変動すると、合焦度合いが変化するため、左右の三角形の間の距離は狭まったり広がったり動的に変化する。また、指標２０５ｂは、ガイド枠２０５ａと同一の色である。指標２０５ｂの形状は後ピン状態であることを示し、指標２０５ｂの色は合焦状態ではないことを示している。
【００２８】
図２（ｄ）に示すフォーカスガイド２０６は、前ピン状態（焦点検出位置の被写体よりも前に合焦している状態）を示している。ガイド枠２０６ａは環状の一部に切れ目がある枠形状であって、枠自体が例えば白色（第２の色）である。ガイド枠２０６ａの形状および色は合焦状態ではないことを示している。
指標２０６ｂは、ガイド枠２０６ａの上側に位置する３つの三角形が示されている。中央の三角形は、合焦状態へ向かうための左右の三角形の目標地点を示しており、頂角が下側に位置する。左右の三角形は、左右の三角形の間の距離（あるいは角度）によって合焦度合い、すなわち焦点検出位置における合焦状態からのズレ量を示し、それぞれ頂角が上側に位置する。図２（ｃ）と同様、左右の三角形の間の距離（あるいは角度）は、合焦状態からのズレ量が大きい場合に比べて小さい場合の方が距離が小さい（狭くなる、角度は小さくなる）。また、指標２０６ｂは、ガイド枠２０６ａと同一の色である。指標２０６ｂの形状は前ピン状態であることを示し、指標２０６ｂの色は合焦状態ではないことを示している。
【００２９】
ユーザは、自らフォーカス調整をするために、フォーカス状況を確認したい位置にフォーカスガイド２０１（ガイド枠２０１ａ）を位置させるように操作する。ユーザは、操作部１２０に含まれるタッチパネル１２１または方向キー１２２を操作することで、フォーカスガイド２０１（ガイド枠２０１ａ）を所望の位置に変更することができる。
具体的には、システム制御部５０は操作部１２０から入力信号を受け取り、入力信号の内容からフォーカスガイド２０１の位置を決定する。次に、システム制御部５０は決定したフォーカスガイド２０１の位置を位相差検出部１１５に出力して、位相差検出部１１５がフォーカスガイド２０１の位置でのデフォース量を算出する。更に、位相差検出部１１５はデフォーカス量に基づきフォーカス状況として、合焦状態、前ピン状態および後ピン状態の何れであるかの情報および合焦度合い情報を算出してシステム制御部５０に出力する。システム制御部５０は、決定した位置にフォーカスガイド２０１を表示すると共に、出力されたフォーカス状況に応じて上述した図２（ｂ）のフォーカスガイド２０４〜図２（ｄ）のフォーカスガイド２０６の何れかの表示形態で表示する。したがって、ユーザはフォーカスガイド２０１を視認することで、所望する位置のフォーカス状況を把握することができる。更に、フォーカス状況に応じてフォーカス調整を行っている間、フォーカスガイド２０１の表示形態が動的に変化することで、ユーザはフォーカス調整を容易に行うことができる。
【００３０】
図２（ａ）に戻り、表示画面２００にはフォーカスガイド移動可能範囲２０３が示されている。フォーカスガイド２０１は、フォーカスガイド移動可能範囲２０３内（所定範囲内）のみを移動することができ、フォーカスガイド移動可能範囲２０３の境界を越えて移動させることができない。なお、表示画面２００に撮像画像の全体が表示される場合（図２（ａ）に示す状態）には、フォーカスガイド移動可能範囲２０３は表示画面２００に表示されない。
システム制御部５０は、予め不揮発性メモリ１１１に記憶された情報に基づいてフォーカスガイド移動可能範囲２０３を設定する。システム制御部５０は、ユーザによりフォーカスガイド２０１がフォーカスガイド移動可能範囲２０３を超える操作がされた場合、フォーカスガイド２０１をフォーカスガイド移動可能範囲２０３の移動可能端に達する位置までしか移動できないように制御する。
ここで、フォーカスガイド移動可能範囲２０３が設定されているのは、フォーカスガイド移動可能範囲２０３外に対応する撮像部１０３の位置に位相差検出用画素が配置されていないためにデフォーカス量を算出できず、合焦度合いを取得できないためである。また、撮像部１０３の全範囲に位相差検出用画素が配置されている場合であっても、撮影レンズ１０１の光学性能によっては、フォーカスガイド移動可能範囲２０３外では正確な焦点検出ができない場合があるためである。
【００３１】
＜画像拡大表示機能の実行したときの表示例＞
次に、画像拡大表示機能を実行したときの表示例を図３を参照して説明する。
図３（ａ）は、画像拡大表示機能を実行する前に表示部１０９に表示されている表示画面３００の一例を示す図であり、表示画面３００には撮像画像の全体が表示されている。
図３（ａ）には、拡大範囲３０１と、撮影に関する情報３０２とが示されている。拡大範囲３０１は、ユーザが拡大しようとしている範囲である。また、撮影に関する情報３０２は、例えば、撮影サイズ、ＩＳＯ感度、撮影時間、電池残量等であって、ユーザが撮影する際に把握したい情報が含まれる。撮影に関する情報３０２は、ＯＳＤデータであり、表示画面３００内の周辺部に表示される。なお、撮影に関する情報３０２は、ユーザによる選択に応じて表示と非表示とを切替えることができる。ここでは、システム制御部５０はユーザによる表示の選択に応じて撮影に関する情報３０２を表示しているものとする。
ユーザは操作部１２０に含まれる例えば拡大キーを操作することで、拡大範囲３０１（画像の一部）を拡大して表示させることができる。
【００３２】
図３（ｂ）は、画像拡大表示機能を実行した後の表示画面３０３の一例を示す図である。表示画面３０３内の一部（例えば右下）にレーダーチャート３０４が表示される。レーダーチャート３０４は、画像全体に対する拡大した位置、すなわち拡大範囲３０１の位置を示している。レーダーチャート３０４は、ＯＳＤデータであり、拡大ガイドの一例に対応する。
レーダーチャート３０４には、画像全体に相当する範囲を表示する画像全体表示３０５と、画像全体に対して拡大範囲の位置を表示する拡大範囲表示３０６とが含まれる。したがって、ユーザは画像拡大表示機能を実行した場合に、レーダーチャート３０４を視認することにより、画像全体に対して拡大範囲の位置を把握することができる。
なお、図３（ｂ）に示すように、撮像画像を拡大して表示する場合、システム制御部５０は、撮影に関する情報３０２を表示することが選択されていたとしても、撮影に関する情報３０２を非表示する。このように、撮影に関する情報３０２を非表示することで、拡大画像の視認性を向上させることができる。
【００３３】
また、ユーザは、操作部１２０に含まれるタッチパネル１２１または方向キー１２２を操作することで、倍率を維持したまま拡大範囲３０１を所望の位置に変更することができる。
具体的に、システム制御部５０は操作部１２０からの入力信号を受け取り、入力信号の内容から拡大範囲３０１の位置を決定する。次に、システム制御部５０は決定した拡大範囲３０１の位置に応じて表示画面３０３に画像の一部を拡大して表示する。また、システム制御部５０は決定した拡大範囲３０１の位置に応じてレーダーチャート３０４内の拡大範囲表示３０６の位置を更新して表示する。
【００３４】
また、ユーザは、操作部１２０に含まれる拡大キーを操作することで、画像を拡大する倍率を変更することができる。例えば、拡大キーを押す毎に、５倍（第１の倍率）、１０倍（第２の倍率）、等倍（第３の倍率）等の順に倍率が変更して表示される。なお、ユーザが等倍の状態から拡大キーを操作することで５倍の倍率に画像が拡大される。
具体的に、システム制御部５０は操作部１２０からの入力信号を受け取り、入力信号の内容（あるいは回数）から画像を拡大する倍率を決定する。次に、システム制御部５０は決定した倍率に応じて表示画面３０３に画像の一部を拡大して表示する。また、システム制御部５０は決定した拡大範囲３０１の大きさ（倍率）に応じてレーダーチャート３０４内の拡大範囲表示３０６の大きさを更新して表示する。このとき、システム制御部５０は必要に応じて拡大範囲の位置も変更する。
【００３５】
＜画像拡大表示機能とフォーカスガイド機能を実行したときの表示例＞
次に、フォーカスガイド機能を有効した上で、画像拡大表示機能を実行したときの表示例を図４を参照して説明する。
図４（ａ）は、画像拡大表示機能を実行する前に表示部１０９に表示されている表示画面４００の一例を示す図であり、表示画面４００には撮像画像の全体が表示されている。図４（ａ）では、図２（ａ）および図３（ａ）と同一構成には同一符号を付している。ここでは、撮影に関する情報を非表示にすることが選択されているものとする。
【００３６】
図４（ａ）では、フォーカスガイド２０１が撮像画像に対して一部の位置に表示される。また、フォーカスガイド２０１がフォーカスガイド移動可能範囲２０３の移動可能端に達しているものとする。すなわち、フォーカスガイド２０１の上部が、フォーカスガイド移動可能範囲２０３の境界に触れ、フォーカスガイド移動可能範囲２０３の境界に接した状態（隣接した状態）である。したがって、ユーザがフォーカスガイド２０１を上側に移動する操作をしても、システム制御部５０はフォーカスガイド２０１を移動しないように制御する。なお、撮像画像の全体が表示されていることから、フォーカスガイド移動可能範囲２０３を表示しなくても、ユーザは上側に移動する操作をしてもフォーカスガイド２０１が移動できないのは移動可能端に達しているためであると推測することができる。
次に、ユーザはフォーカスガイド２０１の位置を含む拡大範囲３０１で拡大する操作をしたものとする。
【００３７】
図４（ｂ）は、画像拡大表示機能を実行し、図４（ａ）に示す拡大範囲３０１を拡大した後の表示画面４０１の一例を示す図である。図４（ｂ）では、図３（ｂ）と同一構成には、同一符号を付している。
ここでは、図４（ａ）に示すフォーカスガイド２０１の位置を含む拡大範囲３０１で拡大していることから、図４（ｂ）に示す拡大画像でも図４（ａ）に示す撮像画像に対する同一の位置にフォーカスガイド４０２が表示される。なお、撮像画像に対するフォーカスガイド４０２の位置は、拡大する前から変更されていないために、フォーカスガイド２０１の位置とフォーカスガイド４０２の位置とでフォーカス状況は同じである。したがって、図４（ａ）に示すフォーカスガイド２０１のガイド枠２０１ａおよび指標２０１ｂと、図４（ｂ）に示すフォーカスガイド４０２のガイド枠４０２ａおよび指標４０２ｂとで、表示形態は同一である。
【００３８】
一方、拡大画像が表示された状態でも、ユーザは自らフォーカス調整をするために、フォーカス状況を確認したい位置にフォーカスガイド４０２を位置させるように操作することができる。しかしながら、図４（ｂ）では、図４（ａ）と説明したと同様に、フォーカスガイド４０２の上部が、フォーカスガイド移動可能範囲の境界に接した状態（隣接した状態）である。したがって、ユーザはフォーカスガイド４０２を上側に移動する操作をしてもフォーカスガイド４０２を移動させることができない。
ここで、拡大画像が表示されている場合には、撮像画像の全体が表示されている場合よりも上側に十分なスペースがあることから、ユーザはフォーカスガイド４０２が移動可能端に達していることが把握し難く、上側に移動できない理由を理解することが困難である。
【００３９】
そこで、本実施形態では、撮像画像を拡大した場合にフォーカスガイド４０２を移動できる範囲をユーザが把握できるように表示制御する。以下、システム制御部５０は撮像画像を拡大した場合にフォーカスガイド４０２を移動できる範囲であるフォーカスガイド移動可能範囲を表示するように制御する処理について説明する。
図５は、カメラ１００による拡大表示をするときの表示制御の処理の一例を示すフローチャートである。図５のフローチャートは、システム制御部５０が不揮発性メモリ１１１に格納されたプログラムを読み出してシステムメモリ１１２に展開して実行することによって実現される。
【００４０】
Ｓ５０１では、システム制御部５０は表示部１０９の表示画面に撮像画像を拡大して表示しているか否かを判定する。システム制御部５０はシステムメモリ１１２に記憶された倍率の情報に基づいて拡大画像を表示しているかを判定することができる。拡大画像を表示している場合にはＳ５０２に進み、表示していない場合には図５のフローチャートの処理を終了する。
Ｓ５０２では、システム制御部５０は拡大画像に重畳してフォーカスガイドを表示しているか否かを判定する。拡大画像の範囲外にフォーカスガイドが位置している場合や、フォーカスガイド機能を有効に設定していない場合には、拡大画像を表示している場合であってもフォーカスガイドが表示されない。フォーカスガイドを表示している場合にはＳ５０３に進み、フォーカスガイドを表示していない場合にはＳ５１８に進む。なお、システムメモリ１１２には撮像画像に対する現在のフォーカスガイドの位置の情報が記憶されている。
【００４１】
Ｓ５０３では、システム制御部５０はユーザにより拡大範囲を移動する操作が行われたか否かを判定する。拡大範囲を移動する操作が行われた場合にはＳ５０４に進み、行われていない場合にはＳ５０５に進む。
Ｓ５０４では、システム制御部５０は拡大範囲を移動する操作に応じて、倍率を維持したまま拡大範囲の位置を変更して表示、すなわち拡大範囲を移動させる。
【００４２】
一方、Ｓ５０５では、システム制御部５０はユーザにより倍率を変更する操作が行われたか否かを判定する。倍率を変更する操作が行われた場合にはＳ５０６に進み、行われていない場合にはＳ５０９に進む。
Ｓ５０６では、システム制御部５０は画像の倍率を変更して表示する。具体的には、システム制御部５０は現在の倍率が５倍（第１の倍率）であれば１０倍（第２の倍率）に、現在の倍率が１０倍（第２の倍率）であれば等倍（第３の倍率）に変更して表示する。システム制御部５０はシステムメモリ１１２に記憶された倍率の情報を更新する。
【００４３】
なお、システム制御部５０は後述するように拡大画像にフォーカスガイド移動可能範囲を表示していた場合であっても、画像を等倍で表示する場合にはフォーカスガイド移動可能範囲を非表示にする。また、システム制御部５０は拡大画像で撮影に関する情報を非表示にしていても、画像を等倍で表示する場合かつ撮影に関する情報を表示することが選択されている場合には、撮影に関する情報を画面内の周辺部に表示する。
このように、等倍で表示する場合にフォーカスガイド移動可能範囲を非表示にすることで、画像の視認性を向上させることができる。また、画面内の周辺部に表示される撮影に関する情報の視認性を妨げないようにすることができる。また、ユーザが他の枠（顔枠、アスペクトマーカー、セーフティーゾーン、グリッドライン等）の表示との混同してしまうことを防ぐことができる。なお、顔枠とは、撮像画像に含まれる人物のうち検出した顔に枠を表示する表示アイテムである。また、アスペクトマーカーとは、所定のアスペクト比を例えば枠状に表示する表示アイテムである。また、セーフティーゾーンとは、撮像画像を表示させたときに表示部の種類によらずに表示できると想定される領域を例えば枠状に表示する表示アイテムである。また、グリッドラインとは、構図を決定する際に参考とするラインをグリッド状に表示する表示アイテムである。システム制御部５０は、画像を等倍で表示している場合にはユーザによるメニュー等からの設定に応じて上述した他の枠を表示し、拡大画像を表示している場合にはフォーカスガイド移動可能範囲の視認性を向上させるために上述した他の枠を表示しない。
【００４４】
Ｓ５０７では、システム制御部５０は現在の倍率が等倍であるか否かを判定する。システム制御部５０はシステムメモリ１１２に記憶された倍率の情報から現在の倍率を判定することができる。等倍ではない場合にはＳ５０８に進む。一方、等倍である場合には図５のフローチャートの処理を終了する。
Ｓ５０８では、システム制御部５０は表示部１０９に表示されている拡大画像（拡大範囲内）にフォーカスガイド移動可能範囲の境界、すなわちフォーカスガイド移動可能範囲の移動可能端が含まれているか否かを判定する。具体的には、システム制御部５０は拡大範囲の情報と、不揮発性メモリ１１１に記憶されたフォーカスガイド移動可能範囲の位置の情報とに基づいて判定することができる。フォーカスガイド移動可能範囲の境界が含まれている場合にはＳ５０９に進み、含まれていない場合にはＳ５１８に進む。
【００４５】
Ｓ５０９では、システム制御部５０はユーザによりフォーカスガイドを移動する操作が行われたか否かを判定する。フォーカスガイドを移動する操作が行われた場合にはＳ５１０に進み、フォーカスガイドを移動する操作が行われていない場合にはＳ５１４に進む。
Ｓ５１０では、システム制御部５０はフォーカスガイドがフォーカスガイド移動可能範囲の境界に接した状態（または隣接した状態）であるか否かを判定する。具体的には、システム制御部５０はフォーカスガイドを移動させようとする方向において、フォーカスガイドがフォーカスガイド移動可能範囲の移動可能端に達しているか否かを判定する。システム制御部５０はシステムメモリ１１２に記憶されたフォーカスガイドの位置の情報および不揮発性メモリ１１１に記憶されたフォーカスガイド移動可能範囲の位置の情報に基づいて判定することができる。なお、フォーカスガイドを移動させようとする方向において、フォーカスガイドがフォーカスガイド移動可能範囲の移動可能端に達している場合、フォーカスガイドを指示された方向に移動できないことを意味する。フォーカスガイドがフォーカスガイド移動可能範囲の境界に接した状態の場合にはＳ５１１に進み、接していない状態の場合にはＳ５１６に進む。
【００４６】
Ｓ５１１では、システム制御部５０はフォーカスガイド移動可能範囲を表示する設定になっているか否かを判定する。ユーザはフォーカスガイド移動可能範囲を表示するか非表示にするかをメニュー等の設定により予め選択することができ、システム制御部５０はユーザにより選択された情報を不揮発性メモリ１１１に記憶している。フォーカスガイド移動可能範囲を表示する設定になっている場合にはＳ５１２に進み、表示する設定になっていない場合にはＳ５０１に戻る。
Ｓ５１２では、システム制御部５０は拡大画像にフォーカスガイド移動可能範囲を表示するように制御する。また、システム制御部５０はユーザによるフォーカスガイドを移動する操作をキャンセルして、フォーカスガイドを移動させないように制御する。
【００４７】
次に、拡大画像にフォーカスガイド移動可能範囲を表示する表示例について説明する。
図６（ａ）は、フォーカスガイド移動可能範囲を表示した表示画面６００の一例を示す図である。なお、図６（ａ）では、図４（ｂ）と同一構成には同一符号を付している。すなわち、拡大画像に重畳してガイド枠４０２ａおよび指標４０２ｂを含むフォーカスガイド４０２が表示されている。ここでは、拡大画像に重畳してフォーカスガイド移動可能範囲６０１の境界を示すための境界線が表示される。ここで、境界線は、ＯＳＤデータであり、所定範囲を示すインジケータの一例に対応する。
システム制御部５０は不揮発性メモリ１１１に記憶されたフォーカスガイド移動可能範囲の位置の情報に基づいて、フォーカスガイド移動可能範囲６０１の境界線を表示することができる。このように、拡大画像にフォーカスガイド移動可能範囲６０１の境界線を表示することで、ユーザはフォーカスガイド４０２を移動させたい方向にフォーカスガイド移動可能範囲６０１があることを認識する。したがって、ユーザはフォーカスガイド４０２を移動する操作をしてもフォーカスガイド４０２が移動できないのはフォーカスガイド移動可能範囲６０１の移動可能端に達しているためであると推測することができる。
【００４８】
図６（ｂ）は、他の形態のフォーカスガイド移動可能範囲を表示した表示画面６０２の一例を示す図である。なお、図６（ｂ）では、図４（ｂ）と同一構成には同一符号を付している。すなわち、拡大画像に重畳して、ガイド枠４０２ａおよび指標４０２ｂを含むフォーカスガイド４０２が表示されると共に、画像全体表示３０５および拡大範囲表示３０６を含むレーダーチャート３０４が表示されている。ここでは、レーダーチャート３０４に重畳してフォーカスガイド移動可能範囲６０３が枠で表示される。ここで、枠は、ＯＳＤデータであり、所定範囲を示すインジケータの一例に対応する。
システム制御部５０は不揮発性メモリ１１１に記憶されたフォーカスガイド移動可能範囲の位置の情報に基づいて、レーダーチャート３０４にフォーカスガイド移動可能範囲６０３を表示する。このとき、画像全体表示３０５に対するフォーカスガイド移動可能範囲６０３を表示する位置と、大きさの比率とは、表示画面６０２に画像全体を表示したときの画像全体に対するフォーカスガイド移動可能範囲の位置と、大きさの比率とに略一致させる。このように、レーダーチャート３０４にフォーカスガイド移動可能範囲６０３を表示することで、ユーザは拡大範囲表示３０６にフォーカスガイド移動可能範囲６０３の境界が含まれていることを認識する。したがって、ユーザはフォーカスガイド４０２を移動する操作をしてもフォーカスガイド４０２が移動できないのはフォーカスガイド移動可能範囲６０３の移動可能端に達しているためであると推測することができる。
【００４９】
なお、上述した、図６（ａ）ではフォーカスガイド移動可能範囲６０１を境界線で示し、図６（ｂ）ではフォーカスガイド移動可能範囲６０３を枠状で示す場合について説明したが、この場合に限られない。すなわち、ユーザがフォーカスガイド移動可能範囲を識別できるように表示すればよく、他の形態で表示してもよい。例えば、フォーカスガイド移動可能範囲６０１、６０３内に色を付したり、逆にフォーカスガイド移動可能範囲６０１、６０３外に色を付したりすることで、フォーカスガイド移動可能範囲を表示してもよい。なお、フォーカスガイド移動可能範囲６０１内または外に色を付す場合には、拡大画像が視認できるように透過させたり、フォーカスガイドとは異なる色にしたりすることが好ましい。
【００５０】
図５に戻り、Ｓ５１３では、システム制御部５０はフォーカスガイド移動可能範囲の表示時間の計測を開始する。その後、Ｓ５０１に戻る。
一方、Ｓ５０９からＳ５１４に進んだ場合、Ｓ５１４では、システム制御部５０はフォーカスガイド移動可能範囲を表示しているか否かを判定する。フォーカスガイド移動可能範囲を表示している場合にはＳ５１５に進み、表示していない場合にはＳ５０１に戻る。
Ｓ５１５では、システム制御部５０はフォーカスガイド移動可能範囲の表示時間が所定時間を経過したか否かを判定する。例えば、所定時間の情報は、予め不揮発性メモリ１１１に記憶されている。表示時間が所定時間を経過した場合にはＳ５１８に進み、経過していない場合にはＳ５０１に戻る。
【００５１】
一方、５１０からＳ５１６に進んだ場合、Ｓ５１６では、システム制御部５０はフォーカスガイドを移動する操作に応じて、フォーカスガイドの位置を変更して表示、すなわちフォーカスガイドを移動させる。この処理は、移動手段により処理の一例に対応する。
Ｓ５１７では、システム制御部５０はフォーカスガイド移動可能範囲を表示しているか否かを判定する。フォーカスガイド移動可能範囲を表示している場合にはＳ５１８に進み、表示していない場合にはＳ５０１に戻る。
【００５２】
Ｓ５１８では、システム制御部５０は表示していたフォーカスガイド移動可能範囲を非表示にするように制御する。ここで、各処理からＳ５１８に進む場合について、それぞれ説明する。
まず、Ｓ５０２においてフォーカスガイドを表示していないことによりＳ５１８に進んだ場合について説明する。フォーカスガイドを表示していない場合にはそもそもユーザがフォーカスガイドを移動する操作をすることがなく、フォーカスガイド移動可能範囲を表示する必要がないために非表示にする。
次に、Ｓ５０８において撮像画像にフォーカスガイド移動可能範囲の境界が含まれないことによりＳ５１８に進んだ場合について説明する。この場合には、ユーザがフォーカスガイドを移動する操作をしても、移動可能端から離れていてフォーカスガイドを移動することができないという現象が生じず、フォーカスガイド移動可能範囲を表示する必要がないために非表示にする。
【００５３】
次に、Ｓ５１５において表示時間が所定時間を経過したことによりＳ５１８に進んだ場合について説明する。フォーカスガイド移動可能範囲を所定時間に亘って表示することで、ユーザはフォーカスガイド移動可能範囲の存在を十分に認識したと判断できるために非表示にする。
次に、Ｓ５１７においてフォーカスガイド移動可能範囲を表示していることによりＳ５１８に進んだ場合について説明する。ここでは、Ｓ５１６においてフォーカスガイドを移動する操作に応じてフォーカスガイドを移動できるために、フォーカスガイドを移動することができないという現象が生じず、フォーカスガイド移動可能範囲を表示する必要がないために非表示にする。
このように、フォーカスガイド移動可能範囲の表示を必要としない場合やフォーカスガイド移動可能範囲を表示する目的を果たした場合に、フォーカスガイド移動可能範囲を非表示にすることで、拡大画像の視認性を向上させることができる。
【００５４】
上述した実施形態では、拡大画像が表示され、かつ、Ｓ５０８〜Ｓ５１１において判定される特定の状態を満たしたときに、フォーカスガイド移動可能範囲６０１、６０３を表示する場合について説明した。しかしながら、フォーカスガイド移動可能範囲６０１、６０３を表示するには、拡大画像が表示され、かつ、Ｓ５０８〜Ｓ５１１において判定される特定の状態のうち何れか１つを満たしたときに表示してもよい。
また、図６（ａ）に示すように拡大画像にフォーカスガイド移動可能範囲６０１の境界線を表示するときの変形例について具体的に例示する。なお、以下の変形例は適宜、組み合せることができる。
【００５５】
フォーカスガイド移動可能範囲６０１の境界線は、拡大画像を表示している場合であっても拡大画像（表示画面６００）にフォーカスガイド移動可能範囲６０１の境界が含まれていない場合には非表示とし、拡大画像に境界が含まれている場合に表示してもよい。
また、フォーカスガイド移動可能範囲６０１の境界線は、拡大画像を表示している場合であっても、フォーカスガイド４０２がフォーカスガイド移動可能範囲６０１の境界に接していない（離れている）場合には非表示とし、接している場合に表示してもよい。
【００５６】
また、フォーカスガイド移動可能範囲６０１の境界線は、拡大画像を表示している場合であっても、フォーカスガイド４０２が移動していない場合には（あるいは移動を指示する以前では）非表示とし、移動している場合に表示してもよい。
また、フォーカスガイド移動可能範囲６０１の境界線は、フォーカスガイド４０２の移動が終了して所定時間が経過した後では非表示とし、所定時間以内では表示してもよい。
【００５７】
また、フォーカスガイド移動可能範囲６０１の境界線は、通常倍率（等倍）では非表示とし、拡大画像が表示されている場合に表示してもよい。
また、フォーカスガイド移動可能範囲６０１の境界線は、メニュー等の設定により拡大画像を表示したときに表示するか否かを選択可能として、選択に応じて表示してもよい。
【００５８】
次に、図６（ｂ）に示すレーダーチャート３０４にフォーカスガイド移動可能範囲６０３を表示するときの変形例について具体的に例示する。なお、以下の変形例は適宜、組み合せることができる。
フォーカスガイド移動可能範囲６０３は、拡大画像を表示している場合であっても拡大画像（表示画面６０２）に実際のフォーカスガイド移動可能範囲が含まれていない場合には非表示とし、拡大画像に含まれている場合に表示してもよい。
また、フォーカスガイド移動可能範囲６０３は、拡大画像を表示している場合であっても、フォーカスガイド４０２が実際のフォーカスガイド移動可能範囲の境界に接していない（離れている）場合には非表示とし、接している場合に表示してもよい。
【００５９】
また、フォーカスガイド移動可能範囲６０３は、拡大画像を表示している場合であっても、フォーカスガイド４０２が移動していない場合には（あるいは移動を指示する以前では）非表示とし、移動している場合に表示してもよい。
また、フォーカスガイド移動可能範囲６０３は、フォーカスガイド４０２の移動が終了して所定時間が経過した後では非表示とし、所定時間以内では表示してもよい。
また、フォーカスガイド移動可能範囲６０３は、メニュー等の設定により拡大画像を表示したときに表示するか否かを選択可能として、選択に応じて表示してもよい。
【００６０】
以上、本実施形態によれば、画像が拡大して表示されていることを含む特定の状態において、拡大された画像と共に、フォーカスガイドとフォーカスガイド移動可能範囲とを表示するように制御する。したがって、ユーザは、画像の拡大表示時に、フォーカスガイド移動可能範囲を視認することで、フォーカスガイドを移動できる範囲を把握することができる。
なお、本実施形態では、焦点検出位置がフォーカスガイドである場合について説明したが、この場合に限られず、焦点検出位置はＡＦする位置を示すＡＦ枠であってもよい。
【００６１】
また、本実施形態によれば、画像の一部が拡大して表示されていない場合、すなわち画像全体が表示されている場合には、フォーカスガイド移動可能範囲を表示しないように制御する。したがって、表示されている画像の視認性を向上させることができる。一方、画像の全体が表示されている場合にフォーカスガイド移動可能範囲が表示されないとしても、フォーカスガイドが画面内の周辺部に位置していることを視認できるために、ユーザはフォーカスガイドを移動できない理由を容易に推測することができる。
なお、本実施形態では、画像全体が表示されている場合に、フォーカスガイド移動可能範囲を表示しない場合について説明したが、この場合に限られず、画像全体が表示されている場合であってもフォーカスガイド移動可能範囲を表示してもよい。
【００６２】
以上のように、本発明を好適な実施形態に基づいて説明したが、本発明は上述した実施形態に限られず、この発明の要旨を逸脱しない範囲の様々な形態も含まれる。また、上述した実施形態は本発明の一実施形態を示すものにすぎず、上述した実施形態を適宜、変更することができる。
また、システム制御部５０が行うものとして説明した上述の各種制御は、１つのハードウェアが行ってもよいし、複数のハードウェア（例えば、複数のプロセッサーや回路）が処理を分担することで、装置全体の制御を行ってもよい。
【００６３】
また、上述した実施形態では、本発明を撮像装置としてのカメラ１００に適用する場合について説明したが、この場合に限られず、画像の一部を拡大して表示するように制御できる表示制御装置であれば適用可能である。すなわち、本発明は、パーソナルコンピュータ、ＰＤＡ、携帯電話端末、スマートフォン、タブレット端末、携帯型の画像ビューワ、音楽プレーヤー、ゲーム機、電子ブックリーダ等に適用可能である。
【００６４】
また、本発明は、撮像装置本体に限らず、有線または無線通信を介して撮像装置（ネットワークカメラを含む）と通信し、撮像装置を遠隔で制御する制御装置にも適用可能である。撮像装置を遠隔で制御する装置としては、例えば、スマートフォン、タブレット端末、デスクトップＰＣ等の装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮像したライブビュー画像を有線または無線通信を介して受信して制御装置側で表示できるようにしてもよい。
【００６５】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【００６６】
５０：システム制御部  １００：撮像装置  １０３：撮像部  １０９：表示部  １１１：不揮発性メモリ  １１５：位相差検出部  １１７：シャッターボタン  １２０：操作部  １２７：記録媒体  ２０１：フォーカスガイド  ２０３：フォーカスガイド移動可能範囲  ４０２：フォーカスガイド  ６０１、６０３：フォーカスガイド移動可能範囲
【図１】
2019165299.tif 000003
【図２】
2019165299.tif 000004
【図３】
2019165299.tif 000005
【図４】
2019165299.tif 000006
【図５】
2019165299.tif 000007
【図６】
2019165299.tif 000008